(57)【要約】【課題】衝撃が加わると起電力を生ずる発電素子と、該発電素子を電源として点灯するＬＥＤを利用して、吸引ヘッド部の回転部材の回転、ゴミの検知、集塵部のゴミ量を検知できるようにした電気掃除機を提供する。【解決手段】  使用者が掴む吸引ロッド20の先端に取り付けられるヘッド部30に、ブラシ等の回転部材40と、回転部材40を回転させる回転駆動手段43と、回転部材40及び回転駆動手段43を連繋する動力伝達機構46とを配備した電気掃除機において、  ヘッド部30には、ＬＥＤ92に電気的に接続され、衝撃を受けることによって起電力を発生する発電素子90が配備されており、回転部材40、動力伝達機構46又は回転駆動手段43には、回転部材40を回転させたときに、発電素子90に当たって発電素子90に衝撃を加える打撃部材50を具え、ＬＥＤ92を外部から視認可能な位置に設けた。【選択図】  図３
2005348914.tif 000002
【特許請求の範囲】
【請求項１】
使用者が掴む吸引ロッド(20)の先端に取り付けられるヘッド部(30)に、ブラシ等の回転部材(40)と、回転部材(40)を回転させる回転駆動手段(43)と、回転部材(40)及び回転駆動手段(43)を連繋する動力伝達機構(46)とを配備した電気掃除機において、
ヘッド部(30)には、ＬＥＤ(92)に電気的に接続され、衝撃を受けることによって起電力を発生する発電素子(90)が配備されており、
回転部材(40)、動力伝達機構(46)又は回転駆動手段(43)には、回転部材(40)を回転させたときに、発電素子(90)に当たって発電素子(90)に衝撃を加える打撃部材(50)を具え、
ＬＥＤ(92)を外部から視認可能な位置に設けたことを特徴とする電気掃除機。
【請求項２】
回転駆動手段(43)の回転軸(44)には、回転軸(44)と一体回転可能であり、周面に向けて突設された打撃部材(50)を具え、該打撃部材(50)の回転移行路中に、発電素子(90)が打撃部材(50)と当接可能に配備されている請求項１に記載の電気掃除機。
【請求項３】
回転部材(40)の回転軸(41)には、回転軸(41)と一体回転可能であり、周面に向けて突設された打撃部材(50)を具え、該打撃部材(50)の回転移行路中に、発電素子(90)が打撃部材(50)と当接可能に配備されている請求項１に記載の電気掃除機。
【請求項４】
集塵部(60)を具える電気掃除機において、
集塵部(60)には、ゴミの溜まる方向に、ＬＥＤ(92)に電気的に接続され、衝撃を受けることによって起電力を発生する発電素子(90)を配置し、ＬＥＤ(92)は、外部から視認可能な位置に設けたことを特徴とする電気掃除機。
【請求項５】
筺体(14)の内部に集塵部(60)を具え、該集塵部(60)にゴミが溜まって、筺体(14)の内部が負圧になると開く可動弁(70)を具えた電気掃除機において、
筺体(14)には、ＬＥＤ(92)に電気的に接続され、衝撃を受けることによって起電力を発生する発電素子(90)を具え、
可動弁(70)が開いたり閉じたりするときに、発電素子(90)が可動弁(70)に当たって、ＬＥＤ(92)が点灯又は点滅するようにしたことを特徴とする電気掃除機。
【請求項６】
使用者が掴む吸引ロッド(20)の先端にヘッド部(30)を取り付けた電気掃除機において、
吸引ロッド(20)又はヘッド部(30)の内部には、ＬＥＤ(92)に電気的に接続され、衝撃を受けることによって起電力を発生する発電素子(90)が、吸引される空気に当たるように配置されており、ＬＥＤ(92)は、外部から視認可能な位置に設けられることを特徴とする電気掃除機。
【発明の詳細な説明】
【技術分野】
【０００１】
本発明は、ＬＥＤに電気的に接続され、衝撃を受けることによって起電力を発生する発電素子を組み込んだ電気掃除機を提供することである。
【背景技術】
【０００２】
電気掃除機は、吸引ホースの先端に吸引ヘッド部を有しており、該ヘッド部からゴミを吸引して、掃除を行なう。
吸引ヘッド部には、床面や絨毯、畳等(以下「床面等」という)からゴミを効率的に吸い出すために、ブラシやゴムローラ等の回転部材を配置し、回転部材をモータ等の回転駆動手段によって強制的に回転させるようにした電気掃除機がある。
吸引ホースから吸い込まれるゴミの量を検知して、床面等にゴミが多くあるかを調べたり、床面等のゴミの量に合わせて吸引モータの出力を変えるようにした電気掃除機がある。
また、集塵部に溜まったゴミの量を検知して、集塵部内のゴミを捨てる時期を使用者に教えてくれる電気掃除機がある(例えば特許文献１参照)。
【０００３】
【特許文献１】特開平１１−８９７６９号公報(図２)
【発明の開示】
【発明が解決しようとする課題】
【０００４】
何れの場合も、検知手段と共に、使用者が視認できるようにＬＥＤ表示が一般的に行なわれていることが多い。しかしながら、検知手段やＬＥＤに電源を供給するための配線が必要であり、装置の大型化や重量化が問題となる。特に、吸引ヘッド部に検知手段とＬＥＤ表示とを設けた場合、吸引ホースに検知手段とＬＥＤ用の配線が必要であり、吸引ホースが太くなったり、重たくなって、使用者が疲れたり、長時間使用できなくなることがあった。
【０００５】
本発明は、衝撃が加わると起電力を生ずる発電素子と、該発電素子を電源として点灯するＬＥＤを利用して、吸引ヘッド部の回転部材の回転、ゴミの検知、集塵部のゴミ量を検知できるようにした電気掃除機を提供することを目的とする。
【課題を解決するための手段】
【０００６】
上記課題を解決するために、本発明の電気掃除機は、ＬＥＤに電気的に接続され、衝撃を受けることによって起電力を発生する発電素子を掃除機の適所に配置することにより、吸引ヘッド部の回転部材の回転、ゴミの検知、又は、集塵部のゴミ量を検知できるようにしたものである。
【発明の効果】
【０００７】
本発明の電気掃除機は、上記の如く、ＬＥＤを衝撃を受けることによって起電力を発生する発電素子に電気的に接続しているから、電気掃除機の電源から電力供給を受けるための配線を必要としていない。従って、何れの位置に設けた場合でも重量化を伴うことはなく、また、設置も容易である利点を有する。
【発明を実施するための最良の形態】
【０００８】
本発明は、発電素子(90)及びＬＥＤ(92)を電気掃除機の適所に配置することにより、電気掃除機の状況を的確に把握できるようにしたものである。
本発明で用いられる電気掃除機は、吸引したゴミを溜める集塵部(60)、集塵部(60)へ吸い込み方向の空気の流れを生じさせる吸引機構、集塵部(60)に接続された可撓性の吸引ホース、吸引ホースの先端に連通して設けられる吸引ロッド(20)、吸引ロッド(20)の先端に設けられる吸引ヘッド部(30)を具えた一般的なものを用いることができる。
【０００９】
発電素子(90)(「圧電素子」とも称される)は、図１に示すように、衝撃を受けることにより起電力を生ずる素子であり、例えば、２枚の圧電セラミックス(94)(94)を張り合わせたバイモフル構造を有する素子を例示できる。発電素子(90)には、ＬＥＤ(92)が電気的に直列接続されており、発電素子(90)に衝撃や振動が加わることによって、発電素子(90)に起電力が生じ、ＬＥＤ(92)を点灯させることができる。
このようなＬＥＤ付発電素子として、日新電機株式会社製のライトエミッティングスティック(ＬＥＳ)を例示することができる。
【００１０】
以下、上記発電素子(90)を用いた実施例について順に説明する。
【実施例１】
【００１１】
図２は、本発明の電気掃除機の先端吸引ヘッド部(30)の平面図、図３は、図２の吸引ヘッド部(30)の外カバー(32)の一部を取り除いた状態を示す平面図、図４は、図３の線Ａ−Ａに沿う断面図である。
吸引ヘッド部(30)は、吸引ロッド(20)に接続される接続口(33)がヘッド本体(31)に回転可能に連結されている。
ヘッド本体(31)は、ゴミを吸引する吸引口(34)と接続口(33)とを連通して構成される。吸引口(34)は、横方向に幅広く形成されており、吸引口(34)には、ブラシやゴムローラ等の回転部材(40)が回転可能に支持されている。回転部材(40)は、ヘッド本体(31)内の後部上方に配備された回転駆動手段(43)であるモータ(45)に、動力伝達機構(46)であるベルト(47)を介して接続されている。
モータ(45)の配線は、ヘッド本体(31)、接続口(33)、吸引ロッド(20)及び吸引ホース(18)内に通って掃除機本体(12)に延びている。また、モータ(45)の操作用の配線は、吸引ロッド(20)の基端側のグリップ部(図示せず)に配置されたスイッチまで延びており、使用者の操作や選択した動作に応じてオン、オフされる。
モータ(45)の回転軸(44)の先端には、図３及び図４に示すように打撃部材(50)が、回転軸(44)と一体回転可能に配備されている。打撃部材(50)として、図４に示すように、回転軸(44)の先端から外周方向に３枚の羽根(52)(52)(52)が突設された樹脂製の回転体を例示することができる。羽根(52)(52)(52)の先端の回転移行路には、発電素子(90)が羽根(52)(52)(52)の先端に当接するように配備されている。
発電素子(90)は、図３(点線で示す)及び図４に示すように、ヘッド本体(31)の内部上方に取り付けられており、打撃部材(50)が発電素子(90)に当接し、衝撃力及び振動力を受けることにより、起電力を生ずる。発電素子(90)の先端には、ＬＥＤ(92)が発電素子(90)と電気的に直列接続されており、ＬＥＤ(92)は、ヘッド本体(31)の上面に設けられた透明窓(99)からその点灯状態が視認可能となっている。
【００１２】
上記構成の電気掃除機によれば、使用者の操作等によってモータ(45)を作動させると、回転軸(44)に連繋されたベルト(47)を介して回転部材(40)が回転すると共に、回転軸(44)の先端に取り付けられた打撃部材(50)が回転する。
打撃部材(50)の回転によって、打撃部材(50)の各羽根(52)(52)(52)が順に発電素子(90)に当たって衝撃力及び振動力を発電素子(90)に与える。その結果、発電素子(90)に起電力が発生し、ＬＥＤ(92)が点滅する。なお、モータ(45)の回転数は、数百ｒｐｍ以上であり、モータ(45)の一回転に対して、発電素子(90)に羽根(52)(52)(52)が合計３回ずつ当たるから、目視では、ＬＥＤ(92)は点滅でなく点灯しているように見える。
上記の如く、回転部材(40)が回っているかどうかを光によって直接視認することができる。また、ＬＥＤ(92)を点灯させるための配線を吸引ホース等を経由して掃除機本体(12)まで配設する必要がないから、軽量化、小型化を図ることができ、使用者への負担増を抑えることができる。
【００１３】
上記実施例では、モータ(45)の回転軸(44)に打撃部材(50)を設けたが、図５及び図６に示すように、回転部材(40)に打撃部材(50)を設けて、該打撃部材(50)と当接可能に発電素子(90)を配置してもよい。打撃部材(50)は、回転部材(40)の回転軸(41)に突起(54)を設けることによって形成することができる。回転部材(40)に打撃部材(50)を設けることにより、回転部材(40)の回転を直接検知できるから、モータ(45)が回転しているが、ベルト(47)が切れて、回転部材(40)に動力が伝わっていない場合や、ベルト(47)が滑って回転部材(40)が上手く回らない場合、回転部材(40)の支持部にゴミが詰まって回転部材(40)が回らない場合等には、ＬＥＤ(92)は点灯又は点滅しないから、回転部材(40)の状況を確実に視認することができる利点がある。
【００１４】
図５及び図６では、発電素子(90)は、回転軸(41)の外周に一端が突起(54)の回転移行路上に臨出するよう軸支(56)すると共に、上端が後方に傾かないように保持(57)し、戻しバネ(58)によって発電素子(90)が突起(54)に当たるように付勢している。
【００１５】
なお、打撃部材(50)は、上記の如く、モータ(45)の回転軸(41)、回転部材(40)だけでなく、これらの間の動力伝達機構(46)に配置することができるのはもちろんである。例えば、動力伝達機構(46)であるベルト(47)に打撃部材(50)となる突起を設けたり、歯車等を用いて動力伝達する場合には、歯車等の側面や軸に打撃部材(50)を設けてもよい。
【実施例２】
【００１６】
本実施例は、集塵部(60)内のゴミの量を検知するために、発電素子(90)及びＬＥＤ(92)を搭載した実施例である。
図７は、電気掃除機の吸引ホースを取り外した掃除機本体(12)の断面図である。
掃除機本体(12)は、図７に示すように、筺体(14)の前側に、吸引ホース(18)が接続される接続口(13)と、該接続口(13)に連通する集塵部(60)、集塵部(60)から空気を吸引する吸引機構(16)、掃除機本体(12)の後部に設けられた排気口(17)を具える。図示の電気掃除機は、集塵部(60)に紙パック(62)を収容し、吸引ホースを通って集塵部(60)に流れ込んだゴミは、紙パック(62)内に溜められる。
【００１７】
掃除機本体(12)の筺体(14)の上部には、図７に示すように、集塵部(60)内の空気が所定気圧以下の負圧になると、開放して外部から空気の吸入を許容する可動弁(70)が設けられている。
可動弁(70)は、図８及び図９に示すように、断面円形の弁体(71)と、該弁体(71)を下方から上方に向けて付勢する付勢手段(72)、弁体(71)を上下に移動可能に支持する筒部材(73)とを具える。
弁体(71)は、有底筒状であり、筒部材(73)に対して余裕をもって嵌まっている。筒部材(73)の上端周面には、弁体(71)が最も上方に付勢されている状態で弁体(71)と当接して気密を保持するゴム部材(76)が嵌まっている。筒部材(73)の下端は閉止しており、中央にコイルバネ等の付勢手段(72)をズレなく支持する突起(74)が形成されている。
筒部材(73)の側面には、吸入される空気の通る開口(75)が形成されており、該開口(75)には、弁体(71)の移行路に発電素子(90)の端部が臨出するよう配備されている。
発電素子(90)に電気的に直列接続されたＬＥＤ(92)は、掃除機本体(12)の外周面の一部を透明樹脂等で作成される透明窓(99)によって、掃除機本体(12)の外側から視認可能となっている。
【００１８】
上記構成の電気掃除機において、図８に示す通常の状態から集塵部(60)内にゴミが溜まり、吸い込み能力が低下すると、集塵部(60)内の気圧が低くなる。集塵部(60)内の気圧が所定気圧以下まで低くなると、図９に示すように、付勢手段(72)の付勢力に抗して弁体(71)が下向きに引っ張られると共に、弁体(71)と筒部材(73)の間から空気が吸入されて、開口(75)を通って集塵部(60)に供給される。
弁体(71)が下向きに引っ張られることにより、図９に示すように弁体(71)の下端が開口(75)から臨出する発電素子(90)に衝突し、発電素子(90)に起電力が生じて、ＬＥＤ(92)が点灯する。
集塵部(60)内にゴミが多く溜まっている状態では、集塵部(60)内の気圧は常に所定気圧以下となるから、弁体(71)は、下向きに引っ張られた状態で細かく振動し、発電素子(90)に多数の衝突を繰り返す。従って、ＬＥＤ(92)は、点滅を繰り返し、点灯しているように視認される。
【００１９】
上記構成の電気掃除機によれば、集塵部(60)内にゴミが溜まったことをＬＥＤ(92)を用いて視認可能にできる。また、そのために、掃除機本体(12)から電源の供給を受ける必要がなく、複雑な配線を必要としない。
また、上記可動弁(70)、発電素子(90)及びＬＥＤ(92)からなる部材をユニット化して、機種に依存することなく各種電気掃除機に取付可能とすることもできる。
【実施例３】
【００２０】
本実施例は、電気掃除機のサイクロン方式ダストカップ(80)内のゴミの量を検知して、使用者に知らせるために、発電素子(90)及びＬＥＤ(92)を用いた実施例である。
ダストカップ(80)は、掃除機本体(12)の集塵部(60)に着脱可能となっており、図１０及び図１１に示すように、前端に吸引ホースに連通する吸入口(81)、後端にフィルタ(82)を具え、上部に使用者が掃除機本体(12)への出し入れの際に掴むグリップ(83)が形成されている。ゴミを含んだ空気流は、吸入口(81)からダストカップ(80)内に入り込んだ後、旋回し、遠心分離によってゴミと空気とを分離できるようになっている。
【００２１】
発電素子(90)及びＬＥＤ(92)は、図１０の斜線(86)で示す部分、即ち、図１１、図１２に示すダストカップ(80)内に配置される。ダストカップ(80)全体が透明な場合は内部にそのまま配置すれば問題ないが、透明度が低い場合又は不透明である場合には、外部からダストカップ(80)内のＬＥＤ(92)を視認できないため、ＬＥＤ(92)が外部から視認できるように、適所を透明にすることが望ましい。
【００２２】
ダストカップ(80)内には、発電素子(90)の側面略中央まで延び、発電素子(90)を挟むリブ(85)(85)が所定間隔毎に複数突設されており、発電素子(90)は、図１１及び図１２に示すように、上側にＬＥＤ(92)が位置するように縦向きにリブ(85)(85)間に挟まれてダストカップ(80)内に配置される。
図示の実施例では、発電素子(90)及びＬＥＤ(92)を４基搭載している(図１１及び図１２中、フィルタ(82)に近い側からＡ、Ｂ、Ｃ、Ｄ)。
【００２３】
ダストカップ(80)内が空の状態から、電気掃除機を作動させてゴミを吸引すると、吸引されてダストカップ(80)内に導かれたゴミの一部が発電素子(90)に衝突する。その衝撃力によって、発電素子(90)に起電力が生じて、ＬＥＤ(92)が点灯する。
その後、ダストカップ(80)内に図１２に示すようにゴミが溜まり、ゴミ(100)がＡの位置の発電素子(90)を覆ってしまうと、それ以上Ａの発電素子(90)には分離されてくるゴミが衝突しなくなるため、起電力は生じず、ＡのＬＥＤ(92)は消灯したままとなる。
【００２４】
ダストカップ(80)内にゴミ(100)が溜まるにつれて、Ｂの発電素子、次に、Ｃの発電素子(90)がゴミに覆われて、起電力が生じなくなり、ＢのＬＥＤ(92)、ＣのＬＥＤ(92)が順に消灯していく。
図１３に示すように、Ｄの発電素子(90)がゴミ(100)に覆われて、起電力が生じなくなって、ＤのＬＥＤ(92)が消灯、即ち、すべてのＬＥＤ(92)が消灯すると、ダストカップ(80)内はゴミ(100)が満杯であり、ダストカップ(80)内のゴミ(100)を捨てる時期が来たことを使用者に視認により知らせることができる。
【００２５】
本発明の電気掃除機によれば、ダストカップ(80)内に発電素子(90)及びＬＥＤ(92)を配置することによって、使用者にゴミ捨ての時期を知らせることができる。また、そのために電気掃除機本体(12)からの電源供給は不要である。従って、ダストカップ(80)のように、掃除機本体(12)に着脱される部材にこのような構成を用いることにより、小型化、軽量化を達成できる。
【００２６】
なお、上記実施例では、発電素子(90)及びＬＥＤ(92)を４基設けているが、１又は複数であれば数は特に限定されない。発電素子(90)及びＬＥＤ(92)を１基のみ用いる場合には、ダストカップ(80)内のゴミ(100)の上限に近い位置、即ち、図１１に示すＤの位置に設けることが望ましい。
【００２７】
また、発電素子(90)及びＬＥＤ(92)は、耐水性を有するので、ダストカップ(80)を水洗いしても、乾燥すれば使用可能となる。従って、水洗いを必要とするダストカップ(80)に特に適している。
【実施例４】
【００２８】
本実施例は、吸引される空気中のゴミの量を検知して、掃除した個所の清浄度を判別するために、発電素子(90)及びＬＥＤ(92)を用いたものである。
【００２９】
発電素子(90)及びＬＥＤ(92)は、図１４に示すように吸引ヘッド部(30)内に設けたり、図１６に示すように吸引ロッド(20)の基端に設けることができる。
【００３０】
図１４は、吸引ヘッド部(30)内に発電素子(90)及びＬＥＤ(92)を設けた実施例である。
発電素子(90)は、吸引ヘッド部(30)内のゴミを含む空気の通路(35)に臨出するよう配置される。
例えば、発電素子(90)は、図１４に示すように、吸引ヘッド部(30)の通路(35)内に収容し、回転可能なブラシやゴムローラ等の回転部材(40)の後ろ側、即ち、回転部材(40)によって掻き上げられたゴミが当たりやすい位置に配置することができる。
【００３１】
発電素子(90)は、吸引ヘッド部(30)の内部に臨出するように配備される。図１４では、吸引ヘッド部(30)の上部から下向きに突設されたＬ字状の突起(36)に発電素子(90)を接着している。
吸引ヘッド部(30)の外カバー(32)には、図１４及び図１５に示すように、ＬＥＤ(92)が対向する位置に透明な材料で作成された透明窓(99)が嵌め込まれており、ＬＥＤ(92)が外部から視認可能となっている。
【００３２】
掃除機を作動させて、ゴミを吸引ヘッド部(30)から吸引すると、吸引されたゴミが、吸い込まれた空気と共に発電素子(90)に衝突し、発電素子(90)に起電力が生ずる。これにより、ＬＥＤ(92)が点灯する。従って、ＬＥＤ(92)が点灯している間は、ゴミが床面等に残っているので、さらに掃除をした方がよいことが視認できる。
掃除した場所にゴミがなくなり、清浄度が高まると、吸い込まれる空気中にゴミがなくなるから、発電素子(90)への衝撃も加わらなくなり、ＬＥＤ(92)は消灯する。
【００３３】
使用者が掃除をするときに見る吸引ヘッド部(30)の上面に、ＬＥＤ(92)を配置しているから、使用者は、ＬＥＤ(92)の点灯状態が簡単に確認できる。従って、床面等の掃除が不十分であることをきれいになっているかどうかを容易に知ることができる。
【００３４】
なお、上記実施例では、発電素子(90)とＬＥＤ(92)を吸引ヘッド部(30)に設けたが、図１６に示すように、吸引ロッド(20)内に発電素子(90)を取り付けてもよい。
発電素子(90)は、吸引ロッド(20)の基端側内面から吸引ロッド(20)の中心に向けて臨出するよう配置される。
発電素子(90)は、吸引ロッド(20)内から内向きに突設されたＬ字状の突起(22)に接着したり、インサート成形により取り付けることができる。
ＬＥＤ(92)は、外部から視認可能な位置に設ける。例えば、グリップ部(24)の基端側上面の操作パネル(26)の一部を透明窓(99)として、該透明窓(99)内にＬＥＤ(92)が位置するようにすればよい。
吸引ロッド(20)に発電素子(90)を設けた場合でも、上記と同様に、吸引されたゴミが吸引ロッド(20)内で発電素子(90)に衝突し、ＬＥＤ(92)を点灯させる。従って、ＬＥＤ(92)の点灯の有無を確認することいによって、床面等の掃除が十分か否かを判断できる。    
【００３５】
発電素子(90)及びＬＥＤ(92)は、耐水性を有するので、吸引ヘッド部(30)や吸引ロッド(20)を水洗いしても、乾燥すれば使用可能となる。従って、水洗いを必要とする吸引ヘッド部(30)や吸引ロッド(20)に特に適している。
【産業上の利用可能性】
【００３６】
本発明は、発電素子及びＬＥＤを電気掃除機の所望の位置に組み込むことにより、種々の動作の確認等を行なうことができる電気掃除機として有用である。
【図面の簡単な説明】
【００３７】
【図１】発電素子及びＬＥＤのの斜視図である。
【図２】吸引ヘッドの平面図である。
【図３】吸引ヘッドの一部を断面して示す図である。
【図４】図３の線Ａ−Ａに沿う断面図である。
【図５】回転部材に突起を設け、発電素子に衝撃を与えてＬＥＤを点灯させる実施例を示す説明図である。
【図６】回転部材に突起を設け、発電素子に衝撃を与えてＬＥＤを点灯させる実施例を示す説明図である。
【図７】掃除機本体の断面図である。
【図８】可動弁の拡大図である。
【図９】可動弁が開いた状態を示す拡大図である。
【図１０】ダストカップの斜視図である。
【図１１】ダストカップの平面図である。
【図１２】図１１の線Ｙ−Ｙに沿う断面図である。
【図１３】図１１の線Ｙ−Ｙに沿う断面図である。
【図１４】吸引ヘッド内に発電素子を搭載した断面図である。
【図１５】吸引ヘッドの平面図である。
【図１６】吸引ロッドの基端側断面図である。
【符号の説明】
【００３８】
(20)  吸引ロッド
(30)  吸引ヘッド部
(40)  回転部材
(43)  回転駆動手段
(50)  打撃部材
(60)  集塵部
(80)  ダストカップ
(90)  発電素子
(92)  ＬＥＤ
【図１】
2005348914.tif 000003
【図２】
2005348914.tif 000004
【図３】
2005348914.tif 000005
【図４】
2005348914.tif 000006
【図５】
2005348914.tif 000007
【図６】
2005348914.tif 000008
【図７】
2005348914.tif 000009
【図８】
2005348914.tif 000010
【図９】
2005348914.tif 000011
【図１０】
2005348914.tif 000012
【図１１】
2005348914.tif 000013
【図１２】
2005348914.tif 000014
【図１３】
2005348914.tif 000015
【図１４】
2005348914.tif 000016
【図１５】
2005348914.tif 000017
【図１６】
2005348914.tif 000018